(57)【特許請求の範囲】
【請求項１】
装置本体の長手方向上側に形成されてテープカセットが収納されるカセット収納部と、前記テープカセットに収納される長尺状のテープに印字する印字手段と、前記テープを搬送するための駆動手段と、電池が収納される電池収納部とを備えたテープ印字装置において、
前記装置本体は、前記カセット収納部よりも装置本体の長手方向下側部分に、該装置本体の幅寸法がその上側部分よりも狭くなるように形成される把持部を備え、
前記電池収納部は、装置本体の長手方向に沿って少なくとも２個の電池を直列配置した状態で収納できるように縦長に形成されると共に、該電池収納部の長手方向上側の所定長さ部分が前記カセット収納部に重なるように形成されて前記把持部内に設けられていることを特徴とするテープ印字装置。
【請求項２】
前記カセット収納部に対応する装置本体表面部に配置される表示手段と、
前記表示手段の装置本体の長手方向下側の装置本体表面部に配置される印字データ入力手段とを備え、
前記印字データ入力手段は、複数の文字入力キーを有し、
前記文字入力キーは、前記把持部の表面部に配置されていることを特徴とする請求項１に記載のテープ印字装置。
【請求項３】
前記各文字入力キーは、複数個の文字が該文字入力キーを押す毎に順次入力可能になるように構成されていることを特徴とする請求項２に記載のテープ印字装置。
【請求項４】
前記電池収納部は、装置本体の幅方向の中心線に対して前記印字手段と反対側の位置に設けられていることを特徴とする請求項１乃至請求項３のいずれかに記載のテープ印字装置。
【請求項５】
前記駆動手段は、前記テープカセットの厚さ方向上側の装置本体内に配置される共に、前記電池収納部の装置本体の長手方向上側に配置されていることを特徴とする請求項４に記載のテープ印字装置。
【請求項６】
前記電池収納部は、前記印字手段側の側面部に電池を取り出すための凹部が形成されていることを特徴とする請求項１乃至請求項５のいずれかに記載のテープ印字装置。
【請求項７】
前記把持部は、左右側面の厚さ方向の両角部が滑らかな曲線で形成されると共に、前記カセット収納部に対向する背面部から把持部背面の装置本体長手方向の上部に達する部分の厚さ寸法がなだらかに小さくなるように形成されていることを特徴とする請求項１乃至請求項６のいずれかに記載のテープ印字装置。
【請求項８】
前記カセット収納部は、装置本体長手方向の上端部と下端部とに、前記テープカセットを取り出す際に該テープカセットに指を掛けるための隙間部が形成されていることを特徴とする請求項１乃至請求項７のいずれかに記載のテープ印字装置。
【請求項９】
前記カセット収納部の装置本体長手方向の下端部に形成される前記隙間部は、前記電池収納部の長手方向上側に重なるように形成されていることを特徴とする請求項８に記載のテープ印字装置。
【発明の詳細な説明】
【０００１】
【発明の属する技術分野】
本発明は、長尺状のテープが収納されるテープカセットを装置本体内に格納し、内蔵する電池により駆動モータを介してプラテンローラを駆動すると共に、印字手段を介してこのテープに印字して外部に排出するように構成される携帯用のテープ印字装置に関するものである。
【０００２】
【従来の技術】
従来から、長尺状のテープが収納されるテープカセットを装置本体内に格納し、内蔵する電池により駆動モータを介してプラテンローラを駆動すると共に、印字手段を介してこのテープに印字して外部に排出するように構成される携帯用のテープ印字装置が種々提案されている。
例えば、テープ印字装置のケースの内面に上下にほぼ重複して配置された制御用基板とテープカセットとの間の空間部であって、この制御用基板の長手方向一側の側方に切欠部を形成し、この欠き部に駆動モータが配置されている。また、ケース内には、駆動モータが配置された側と反対側に電源回路部及び複数個（例えば、６本）の乾電池が電池収納部に並列状に収納されている（例えば、特許文献１参照。）。
これにより、駆動モータを配置するため、制御用基板の裏面側であって、テープカセットと電池収納部との間の空間を形成する必要がなく、制御用基板そのものを長くしたり、ケースを大きくするという無駄がなくなり、テープ印字装置を短くコンパクトにできる。また、ケースの広幅部の長手方向の一側に駆動モータを配置し、他側に電池収納部を設けると、重量の重い両部品である駆動モータと電池とがケースの両端に配置される結果、ケースを人が手に持って入力操作する場合に、一方に重量が偏らず、操作性が向上する。また、制御用基板の広幅面の短辺一側に液晶表示装置を偏らせて設け、この駆動モータを配置すべき切欠き部を液晶表示装置の側方に位置させると、制御用基板の長手方向の寸法も短くでき、テープ印字装置のケースの長手方向寸法も短くなり、テープ印字装置全体を短くコンパクトにできる。
【０００３】
【特許文献１】
特開平９−２５４４５０号公報（第３頁、図１〜図３）
【０００４】
【発明が解決しようとする課題】
しかしながら、上述した従来のテープ印字装置においては、電池が装置本体の幅方向と平行に配置されて、ケースの幅寸法が幅広となるため、手に持ったときの把持部分が幅広となり、片手で持ちにくいという問題がある。また、装置本体の把持部分が幅広となるため、テープ印字装置を持つ手で文字入力キー等を押して操作することが困難であり、左手でテープ印字装置を持ちながら右手で文字入力キー等を押す必要があり、操作性が悪いという問題があった。
【０００５】
そこで、本発明は、上述した問題点を解決するためになされたものであり、少なくとも２個の電池を装置本体の長手方向に沿って直列配置した状態で収納することによって、テープ印字装置の装置本体の把持部分の幅寸法を狭くして、手に持ち易くすると共に、この装置本体を持つ手で文字入力キー等を押して容易に印字データを入力でき、操作性の良いテープ印字装置を提供することを目的とする。また、テープカセットと電池収納部の一部分とを上下方向に重ねて配置することによって、把持部分を持ち易い形状にすることができると共に、装置本体の長手方向の寸法を容易に小型化することができるテープ印字装置を提供することを目的とする。
【０００６】
【課題を解決するための手段】
前記目的を達成するため請求項１に係るテープ印字装置は、装置本体の長手方向上側に形成されてテープカセットが収納されるカセット収納部と、前記テープカセットに収納される長尺状のテープに印字する印字手段と、前記テープを搬送するための駆動手段と、電池が収納される電池収納部とを備えたテープ印字装置において、前記装置本体は、前記カセット収納部よりも装置本体の長手方向下側部分に、該装置本体の幅寸法がその上側部分よりも狭くなるように形成される把持部を備え、前記電池収納部は、装置本体の長手方向に沿って少なくとも２個の電池を直列配置した状態で収納できるように縦長に形成されると共に、該電池収納部の長手方向上側の所定長さ部分が前記カセット収納部に重なるように形成されて前記把持部内に設けられていることを特徴とする。
【０００７】
このような特徴を有する請求項１に係るテープ印字装置によれば、装置本体の把持部の幅寸法を短くしてユーザの手に握りやすい幅寸法にすることができると共に、装置本体の把持部の厚さ寸法を大きくしてユーザの手に握りやすい厚さ寸法にすることができ、ユーザは片手で把持部を容易に握ってテープ印字装置を使用することができ、操作性の向上を図ることができる。また、電池収納部は、該電池収納部の長手方向上側の所定長さ部分がカセット収納部に重なるように形成されているため、把持部の長手方向の寸法を容易に短縮化でき、引いては装置本体の長手方向の寸法を容易に短縮化することができる。
【０００８】
また、請求項２に係るテープ印字装置は、請求項１に記載のテープ印字装置において、前記カセット収納部に対応する装置本体表面部に配置される表示手段と、前記表示手段の装置本体の長手方向下側の装置本体表面部に配置される印字データ入力手段とを備え、前記印字データ入力手段は、複数の文字入力キーを有し、前記文字入力キーは、前記把持部の表面部に配置されていることを特徴とする。
【０００９】
このような特徴を有する請求項２に係るテープ印字装置によれば、カセット収納部に対応する装置本体表面部に表示手段が配置され、この表示手段の装置本体の長手方向下側の装置本体の把持部の表面部に複数の文字入力キーが配置されているため、ユーザは、表示手段を見ながら把持部を握る手でこの文字入力キーを操作することが可能となり、テープ印字装置を片手で操作して容易に所望の印字テープを作成することが可能となる。
【００１０】
また、請求項３に係るテープ印字装置は、請求項２に記載のテープ印字装置において、前記各文字入力キーは、複数個の文字が該文字入力キーを押す毎に順次入力可能になるように構成されていることを特徴とする。
【００１１】
このような特徴を有する請求項３に係るテープ印字装置によれば、各文字入力キーは、複数個の文字が該文字入力キーを押す毎に順次入力可能になるように構成されているため、文字入力キーの個数を減らすことができて、把持部の表面部に配置される各文字入力キーを大きくすることができ、ユーザは、片手で更に操作し易くなり操作性の向上を図ることができる。
【００１２】
また、請求項４に係るテープ印字装置は、請求項１乃至請求項３のいずれかに記載のテープ印字装置において、前記電池収納部は、装置本体の幅方向の中心線に対して前記印字手段と反対側の位置に設けられていることを特徴とする。
【００１３】
このような特徴を有する請求項４に係るテープ印字装置によれば、電池収納部は、装置本体の幅方向の中心線に対して前記印字手段と反対側の位置に設けられているため、カセット収納部に容易に重ねて設けることができ、装置本体の長手方向の寸法の更なる短縮化を容易に行うことができる。
【００１４】
また、請求項５に係るテープ印字装置は、請求項４に記載のテープ印字装置ににおいて、前記駆動手段は、前記テープカセットの厚さ方向上側の装置本体内に配置される共に、前記電池収納部の装置本体の長手方向上側に配置されていることを特徴とする。
【００１５】
このような特徴を有する請求項５に係るテープ印字装置によれば、駆動手段は、テープカセットの厚さ方向上側の装置本体内に配置される共に、電池収納部の装置本体の長手方向上側に配置されることから、印字手段は、装置本体の幅方向の中心線に対して該駆動手段の反対側に配置されているため、電池収納部が設けられる装置本体部分の幅方向寸法を容易に短縮化することができ、装置本体の把持部分を細径化して、より持ち易く形成することができ、操作性の向上を図ることができる。また、重量の大きい駆動モータ等で構成される駆動手段と電池とを、装置本体内において装置本体の長手方向に振り分けて配置することができ、装置本体を手に持ったときの重量バランスが一方に偏らず、印字テープ作成時の操作性をより向上させることができる。
【００１６】
また、請求項６に係るテープ印字装置は、請求項１乃至請求項５のいずれかに記載のテープ印字装置において、前記電池収納部は、前記印字手段側の側面部に電池を取り出すための凹部が形成されていることを特徴とする。
【００１７】
このような特徴を有する請求項６に係るテープ印字装置によれば、電池収納部は、印字手段側の側面部に電池を取り出すための凹部が形成されているため、この凹部を装置本体の幅方向に容易に大きくすることができ、電池収納部からの電池の取り外しを容易に行うことができる。
【００１８】
また、請求項７に係るテープ印字装置は、請求項１乃至請求項６のいずれかに記載のテープ印字装置において、前記把持部は、左右側面の厚さ方向の両角部が滑らかな曲線で形成されると共に、前記カセット収納部に対向する背面部から把持部背面の装置本体長手方向の上部に達する部分の厚さ寸法がなだらかに小さくなるように形成されていることを特徴とする。
【００１９】
このような特徴を有する請求項７に係るテープ印字装置によれば、把持部は、左右側面の厚さ方向の両角部が滑らかな曲線で形成されると共に、カセット収納部に対向する背面部から把持部背面の装置本体長手方向の上部に達する部分の厚さ寸法がなだらかに小さくなるように形成されているため、片手でより持ちやすくなり、作業効率の向上を図ることができる。
【００２０】
また、請求項８に係るテープ印字装置は、請求項１乃至請求項７のいずれかに記載のテープ印字装置において、前記カセット収納部は、装置本体長手方向の上端部と下端部とに、前記テープカセットを取り出す際に該テープカセットに指を掛けるための隙間部が形成されていることを特徴とする。
【００２１】
このような特徴を有する請求項８に係るテープ印字装置によれば、カセット収納部は、装置本体長手方向の上端部と下端部とに、テープカセットを取り出す際に該テープカセットに指を掛けるための隙間部が形成されているため、テープカセットの装着及び取り外しを容易に行うことができる。
【００２２】
更に、請求項９に係るテープ印字装置は、請求項８に記載のテープ印字装置において、前記カセット収納部の装置本体長手方向の下端部に形成される前記隙間部は、前記電池収納部の長手方向上側に重なるように形成されていることを特徴とする。
【００２３】
このような特徴を有する請求項９に係るテープ印字装置によれば、カセット収納部の装置本体長手方向の下端部に形成される隙間部は、電池収納部の長手方向上側に重なるように形成されているため、テープカセットを取り外すことによって電池の装着及び取り外しを容易に行うことが可能となり、装置本体の長手方向の寸法の更なる短縮化を容易に行うことができる。
【００２４】
【発明の実施の形態】
以下、本発明に係るテープ印字装置について具体化した一実施形態に基づき図面を参照しつつ詳細に説明する。先ず、本実施形態に係るテープ印字装置の概略構成について図１乃至図４に基づき説明する。
図１乃至図４に示すように、テープ印字装置１は、合成樹脂製の本体２と、この本体２の背面部全体を覆うように着脱可能に取り付けられる合成樹脂製の背面カバー３とから構成されている。また、本体２の長手方向のほぼ上半分側の部分は、水平視やや丸く形成され、この上側表面の略中央部には左右方向に横長の窓部５が穿設され、この窓部５の下側には液晶表示装置６が配設されている。また、本体２の液晶表示装置６の左側側面部には、カットレバー７が設けられ、このカットレバー７を親指などで内側に押すことにより印字されて上端部に形成されるテープ排出口８から排出された感熱テープ９（図５参照）を後述のカッター１０（図５参照）にて切断することができる。
【００２５】
また、本体２の長手方向のほぼ下半分側の部分の左右幅寸法は、その上側部分の左右幅寸法よりも少し狭く形成されると共に、左右側面の角部も丸く形成され、把持部１１を構成している。また、背面カバー３の把持部１１に対応する部分の左右側面の角部も丸く形成されている。また、本体２に取り付けられる背面カバー３は、テープカセット２６に対向する部分から把持部１１にかけてテープ印字装置１の厚さ寸法がなだらかに小さくなるように形成され、把持部１１の厚さ寸法は、テープカセット２６が収納されている部分の厚さ寸法よりも小さくなるように形成され、操作者の手に持ちやすいように把持部１１が構成されている。
【００２６】
また、把持部１１の表面には、軟質ゴム製等で形成され、文書データからなるテキストを作成するための文字入力キー１２、スペースを入力するスペースキー１３、アルファベットの大文字と小文字とを押下する毎に切り替える切り替えキー１４、テキストの印字を指令する印字キー１５、及び、文字等のキャラクタを表示する液晶表示装置６上でカーソルを左右に移動させるカーソルキー１６、電源をオン・オフする電源ボタン１７、文字選択等を指令するリターンキー１８等が配置されている。
また、各文字入力キー１２は、複数の英数字を押下する毎に切り替えて入力できるように構成されている。例えば、文字入力キー１２の上面部に「ａ、ｂ、ｃ、２」の文字が印刷されている場合には、この文字入力キー１２を押下する毎に液晶表示装置６上のカーソル位置に「ａ］、「ｂ」、「ｃ］、「２」の文字が順次表示され、リターンキー１８を押下することによって入力文字が確定される。また、切り替えキー１４を押下する毎に液晶表示装置６上のカーソル位置に表示される英小文字「ａ」と英大文字「Ａ」、英小文字「ｂ」と英大文字「Ｂ」、英小文字「ｃ」と英大文字「Ｃ」が切り替えて表示され、リターンキー１８を押下することによって確定される。
【００２７】
また、図４に示すように、本体２の把持部１１の裏面部には、各文字入力キー１２、スペースキー１３、切り替えキー１４、印字キー１５、カーソルキー１６、電源ボタン１７、リターンキー１８等が上面部に配置される基板２０が設けられている。また、本体２の把持部１１と液晶表示装置６との間の裏面部には、制御回路部が構成される制御基板２１が配設されている。そして、この制御基板２１の後述のサーマルヘッド３３（図６参照）に対して反対側で本体２の長手方向上側には、不図示のギヤー列を介してプラテンローラ２３を回転駆動する駆動モータ２５が本体２の裏面部に配設されている（図６参照）。
また、本体２の各基板２０、２１、液晶表示装置６、及び駆動モータ２５等の背面側の開口部には、後述のようにテープカセット２６が収納されるカセット収納部２７（図５、図６参照）や複数個（本実施形態では４本）の乾電池２８が２本ずつ直列に収納される電池収納部２９（図５、図６参照）が背面部に形成される合成樹脂製の仕切り部材３０が各ネジ３１によってネジ止めされている（図５、図６参照）。
【００２８】
次に、この仕切り部材３０等の構成について図５及び図６に基づいて説明する。
図６に示すように、仕切り部材３０の長手方向上半分側の部分には、テープカセット２６の外形とほぼ同じ水平断面略四角形状で、ほぼテープカセット２６の厚さ寸法にほぼ等しい深さ寸法裏側に膨出するように形成されるカセット収納部２７が設けられている。また、このカセット収納部２７のカットレバー７側の端縁部近傍の底面部には、サーマルヘッド３３が取り付けられる薄板状のサーマルヘッド取付部３４が、本体２の長手方向に沿うように直角外側方向に立設されている。また、サーマルヘッド３３に対向するカセット収納部２７の側面部は切り欠かれると共に、この切欠部に対向する仕切り部材３０の裏面部にプラテンホルダ３５が下端部を中心に回動可能に設けられている。また、背面カバー３を取り外した状態では、プラテンホルダ３５は図示しない弾性部材等で外側方向に付勢され、この仕切り部材３０に穿設される略四角形の係合孔３６の外側端縁部から裏側方向に立設される位置固定部３７に当接する位置で固定されている（以下、かかる位置を「待機位置」という。）。
【００２９】
そして、背面カバー３の内側面には、不図示の突起部が立設されており、この背面カバー３を本体２の背面部に取り付けた場合には、この突起部が係合孔３６に挿入され、プラテンホルダ３５と位置固定部３７との間に介在する状態になる。これにより、プラテンローラ２３によりテープカセット２６の感熱テープ９の一部がサーマルヘッド３３に押し付けられる位置まで、プラテンホルダ３５はサーマルヘッド３３側に回動させられて固定される（以下、かかる位置を「動作位置」という。）。また、プラテンローラ２３の裏側方向の一端部には不図示のギヤ部が形成され、プラテンホルダ３５が動作位置に固定された場合には、駆動モータ２５によって回転駆動される不図示のギヤ列にプラテンローラ２３のギヤ部が歯合してプラテンローラ２３が回転駆動され、サーマルヘッド３３を介して印字された感熱テープ９が搬送される。
尚、テープカセット２６に収納される感熱テープ９は、サーマルヘッド３３の発熱作用により発色するように構成されているため、感熱式インクリボンを介してテープに印字する場合よりも、サーマルヘッド３３の各発熱素子の必要な発熱エネルギーを低く抑えることができ、該サーマルヘッド３３の発熱温度を低くすることができる。また、感熱テープ９は、裏面に予め粘着剤が塗布され、この粘着剤層に離型テープを仮接着したものであってもよい。
【００３０】
また、外側方向に回動するように不図示のバネで付勢されるカットレバー７の不図示の回動支持部には、カッター１０がスライド可能に支持され、このカットレバー７を水平内側方向へ押下することにより、カッター１０はテープカセット２６に向かって移動し、感熱テープ９を切断するように構成されている。
【００３１】
また、図５及び図６に示すように、カセット収納部２７の本体２の長手方向の上端中央部には指を入れることが可能な大きさの第１隙間部３９が本体２の長手方向上側に形成されている。
そして、仕切り部材３０の把持部１１に配置される部分の幅方向の中心線に対してサーマルヘッド３３と反対側の部分、即ち、駆動モータ２５の本体２の長手方向下側には、４本の乾電池（本実施形態では、単三型乾電池である。）２８が２本ずつ直列に並べて収納される水平視縦長四角形の電池収納部２９が、カセット収納部２７の底面部よりも裏面側（図４中、左側）に乾電池２８の直径寸法よりもやや大きい深さ寸法膨出するように形成されている。また、この電池収納部２９の本体２の長手方向上側の部分は、カセット収納部２７側に所定長さ入り込むように形成されている。また、カセット収納部２７の電池収納部２９に対向する部分は切り欠かれて、電池収納部２９の装着される乾電池２８の上側に指を入れることが可能な第２隙間部４０が形成されている。
また、この電池収納部２９の把持部１１におけるサーマルヘッド側端縁部（図６中、右側端縁部）には、指を入れることができる水平視半円形の凹部２９Ａが形成されている。
【００３２】
これにより、図５及び図６に示すように、背面カバー３を取り外した状態では、プラテンホルダ３５が待機位置に回動するため、第１隙間部３９と第２隙間部４０とに指を入れてテープカセット２６をカセット収納部２７から上方に取り出すことができる。また、テープカセット２６をカセット収納部２７から上方に取り出した状態で、凹部２９Ａに指を入れて各乾電池２８を順次取り出して、交換することが可能となっている。その後、カセット収納部２７にテープカセット２６を収納し、背面カバー３を本体２に嵌め込むことによって、プラテンホルダ３５は動作位置に回動され、テープ印字装置１の操作が可能となる。
【００３３】
ここで、サーマルヘッド３３、プラテンホルダ３５及びプラテンローラ２３は、印字手段を構成する。また、駆動モータ２５、不図示のギヤ列及びプラテンローラ２３は、駆動手段を構成する。また、液晶表示装置６は、表示手段として機能する。また、文字入力キー１２、スペースキー１３、切り替えキー１４、印字キー１５、カーソルキー１６、及びリターンキー１８は、印字データ入力手段を構成する。また、第１隙間部３９及び第２隙間部４０は、隙間部を構成する。
【００３４】
次に、テープ印字装置１の操作について図７に基づいて説明する。
図７に示すように、操作者は、液晶表示装置６に印字データを表示させながらテープ印字装置１の把持部１１を持った左手の親指で各文字入力キー１２、スペースキー１３、切り替えキー１４、カーソルキー１６、リターンキー１８等を押下して所望の印字データを容易に作成し、印字キー１５を左手の親指で押下すると感熱テープ９に印字される。その後、テープ印字装置１を持つ左手の親指でカットレバー７を内側方向へ押下することにより所望の印字データが印字された感熱テープ９が切断されてテープ排出口８から排出され、操作者はテープ印字装置１の把持部１１を持つ左手の操作だけで任意の印字データが印字されたテープを得ることができる。
【００３５】
従って、テープ印字装置１は、カセット収納部２７よりも長手方向下側部分に、その上側部分よりも幅寸法が狭くなるように形成される把持部１１が設けられているため、ユーザーはこの把持部１１を持ってテープ印字装置１を使用することができ、ユーザは使用場所や使用環境を選ぶことなく容易に所望の印字テープを作成することができる。また、電池収納部２９は、本体２の長手方向に沿って２個の電池２８を直列配置した状態で収納できるように縦長に形成されると共に、該電池収納部２９の長手方向上側の所定長さ部分がカセット収納部２７に重なるように形成されて把持部１１内に設けられているため、把持部１１の幅寸法を短くしてユーザの手に握りやすい幅寸法にすることができると共に、把持部１１の厚さ寸法を大きくしてユーザの手に握りやすい厚さ寸法にすることができ、ユーザは片手で把持部１１を容易に握ってテープ印字装置を使用することができる。更に、電池収納部２９は、該電池収納部２９の長手方向上側の所定長さ部分がカセット収納部２７に重なるように形成されているため、把持部１１の長手方向の寸法を容易に短縮化でき、引いてはテープ印字装置１の長手方向の寸法を容易に短縮化することができる。
また、カセット収納部２７に対応する本体２の表面部に表示装置６が配置され、この表示装置６の本体２の長手方向下側の把持部１１の表面部に複数の文字入力キー１２等が配置されているため、ユーザは、表示装置６を見ながら把持部１１を握る手でこの文字入力キー１２等を操作することが可能となり、テープ印字装置１を片手で操作して容易に所望の印字テープを作成することが可能となる。
【００３６】
また、各文字入力キー１２は、複数個の文字が該文字入力キー１２を押す毎に表示装置６に順次表示されて入力可能になるように構成されているため、文字入力キー１２の個数を減らすことができて、把持部１１の表面部に配置される各文字入力キー１２を大きくすることができ、ユーザは、片手で更に操作し易くなる。
また、駆動モータ２５は、テープカセット２６の厚さ方向上側の本体２内に配置される共に、電池収納部２９の本体２の長手方向上側に配置されることから、サーマルヘッド３３やプラテンホルダ３５等は、本体２の幅方向の中心線に対して該駆動モータ２５の反対側に配置されているため、電池収納部２９が設けられる把持部１１の幅方向寸法を容易に短縮化することができ、この把持部１１の部分を細径化して、より持ち易く形成することができ、操作性の向上を図ることができる。また、重量の大きい駆動モータ２５等と各電池２８とを、装置本体内において装置本体の長手方向に振り分けて配置することができ、テープ印字装置１を手に持ったときの重量バランスが一方に偏らず、印字テープ作成時の操作性をより向上させることができる。
【００３７】
また、電池収納部２９は、サーマルヘッド３３やプラテンホルダ３５側の側面部に電池２８を取り出すための凹部２９Ａが形成されているため、この凹部２９Ａを把持部１１の幅方向に容易に大きくすることができ、電池収納部２９からの電池２８の取り外しを容易に行うことができる。
また、把持部１１は、左右側面の厚さ方向の両角部が滑らかな曲線で形成されると共に、テープ印字装置１の背面部のカセット収納部２７に対向する部分から把持部１１の上部に達する部分の厚さ寸法がなだらかに小さくなるように形成されているため、片手でより持ちやすくなり、作業効率の向上を図ることができる。
また、カセット収納部２７は、装置本体長手方向の上端部と下端部とに、テープカセット２６を取り出す際に該テープカセット２６に指を掛けるための第１隙間部３９及び第２隙間部４０が形成されているため、テープカセット２６の装着及び取り外しを容易に行うことができる。
更に、カセット収納部２７の装置本体長手方向の下端部に形成される第２隙間部４０は、電池収納部２９の長手方向上側に重なるように形成されているため、テープカセット２６を取り外すことによって電池２８の装着及び取り外しを容易に行うことが可能となり、テープ印字装置１の長手方向の寸法の更なる短縮化を容易に行うことができる。
【００３８】
尚、本発明は前記実施形態に限定されることはなく、本発明の要旨を逸脱しない範囲内で種々の改良、変形が可能であることは勿論である。例えば、以下のようにしてもよい。
（Ａ）前記実施形態では、電池収納部２９に直接４本の電池２８を収納したが、４本の電池２８を樹脂製の枠に２本ずつ直列配置して、この枠を電池収納部２９に収納する構成にしてもよい。これにより、予め複数の枠に電池２８を嵌め込んで用意しておけば、この枠を収納部２９に着脱することにより電池２８の交換を迅速に行うことができる。
（Ｂ）前記実施形態では、電池収納部２９に直接４本の電池２８を収納したが、Ni-Cd電池など充電可能な電池を複数個組み合わせた二次電池パックを電池収納部２９に収納する構成にしてもよい。これにより、電池収納部２９に収納される電池の再充電が可能となり、維持コストの低減化、省資源化を図ることができる。
【００３９】
【発明の効果】
以上説明した通り、装置本体の把持部の幅寸法を短くしてユーザの手に握りやすい幅寸法にすることができると共に、装置本体の把持部の厚さ寸法を大きくしてユーザの手に握りやすい厚さ寸法にすることができ、ユーザは片手で把持部を容易に握ってテープ印字装置を使用することができ、操作性の向上を図ることができるテープ印字装置を提供することができる。また、電池収納部は、該電池収納部の長手方向上側の所定長さ部分がカセット収納部に重なるように形成されているため、把持部の長手方向の寸法を容易に短縮化でき、引いては装置本体の長手方向の寸法を容易に短縮化することができるテープ印字装置を提供することができる。
【図面の簡単な説明】
【図１】本実施形態に係るテープ印字装置の概略外観斜視図である。
【図２】本実施形態に係るテープ印字装置の概略平面図である。
【図３】本実施形態に係るテープ印字装置の概略底面図である。
【図４】本実施形態に係るテープ印字装置の概略断面図である。
【図５】本実施形態に係るテープ印字装置に装着される背面カバーを外してテープカセットを装着した状態を示す概略底面図である。
【図６】本実施形態に係るテープ印字装置に装着される背面カバーを外してテープカセットを取り外した状態を示す概略底面図である。
【図７】本実施形態に係るテープ印字装置を左手に持って操作している状態を示す概略斜視図である。
【符号の説明】
１                テープ印字装置
２                本体
３                背面カバー
６                液晶表示装置
７                カットレバー
８                テープ排出口
９                感熱テープ
１１              把持部
１２              文字入力キー
２３              プラテンローラ
２５              駆動モータ
２６              テープカセット
２７              カセット収納部
２８              乾電池
２９              電池収納部
２９Ａ            凹部
３０              仕切り部材
３３              サーマルヘッド
３５              プラテンホルダ
３９              第１隙間部
４０              第２隙間部
【図１】
0003722117.tif 000002
【図２】
0003722117.tif 000003
【図３】
0003722117.tif 000004
【図４】
0003722117.tif 000005
【図５】
0003722117.tif 000006
【図６】
0003722117.tif 000007
【図７】
0003722117.tif 000008